(57)【要約】【課題】  コンクリート系パネルを基礎部又は床に取付ける際の下地鋼材の取付けを容易にするとともに、パネルの取付けを効率よく実施でき、かつ、コンクリート系パネルと干渉しない下地取付け金具とコンクリート系パネルの取付構造を提供する。【解決手段】  建築物の固定部材にコンクリート系パネルを取付ける際に、下地鋼材を基礎部にあらかじめ設置されたアンカーと接合を行うために使用する下地取付け金具であって、方形鋼板の一片に長穴状の切り欠きを有し、基礎部又は床部に設けられたアンカーをこの長穴状きり欠きに挿入し、位置を調整した後に下地鋼材に固定する。【選択図】    図２
2008214871.tif 000002
【特許請求の範囲】
【請求項１】
建物の基礎部又は床にコンクリート系パネルを取付ける際に、該コンクリート系パネル下端部に設ける下地鋼材を取付ける金具であって、方形鋼板の一片に長穴状の切り欠きを有することを特徴とする下地取付け金具。
【請求項２】
前記方形鋼板が長方形であることを特徴とする請求項１に記載の下地取付け金具。
【請求項３】
前記長穴状の切り欠きが長方形の長辺に沿って設けられてなることを特徴とする請求項２に記載の下地取付け金具。
【請求項４】
建物の基礎部又は床にコンクリート系パネルを取付ける際に、基礎コンクリートに設置されたアンカー頭部に前記請求項１ないし３のいずれか１項に記載の下地取付け金具の長穴状の切り欠きを挿入して、位置を調整した後、溶接又はナットで締め付けて固定し、該下地取付け金具を前記コンクリート系パネル下端部に設ける下地鋼材に密着させて溶接固定し、さらに下地鋼材にコンクリート系パネル取付け用ボルト及びコンクリート系パネル取付け用アンカーを介してコンクリート系パネルを取付けて、コンクリート系パネルを建物の基礎部に取付けてなることを特徴とするコンクリート系パネルの取付け構造。
【請求項５】
前記下地取付け金具を下地鋼材に固定する際に、下地鋼材と同じ厚さの下地取付け金具を使用することを特徴とする請求項４に記載のコンクリート系パネルの取付構造。
【発明の詳細な説明】
【技術分野】
【０００１】
本発明は、コンクリート系パネルを建築物の基礎部又は床部に取付けて壁を構成するために使用する下地取付け金具及びコンクリート系パネルの取付け構造に関する。
【背景技術】
【０００２】
コンクリート系パネルを建築物の躯体に取付けるには従来から様々な構造がある。
例えば図１０に示されるコンクリート系パネルの取付構造は、基礎コンクリート５に設置されたアンカー６頭部を溶接用座金２０の丸穴１１に挿入して固定し、下地鋼材２と溶接用座金２０を溶接により固定してある。しかる後、コンクリート系パネル取付け金具３にコンクリート系パネル取付け用アンカー８とコンクリート系パネル取付け用ボルト７を介してコンクリート系パネル４を固定し、このコンクリート系パネル取付け金具３を下地鋼材２に溶接してコンクリート系パネル４を取付ける方法である。
【０００３】
この時に使用する溶接用座金２０は、例えば図７に示すように、アンカーと下地鋼材との位置調整用に丸穴１１が、方形鋼板１に偏芯してあけられており、溶接用座金２０を回転することにより、段階的に位置調整をして固定するものがある。（例えば、非特許文献１参照。）
あるいはまた、図８に示されるように、アンカーと下地鋼材との位置調整用に方形鋼板１に長穴９があけられており、一方向のみに下地アングルと溶接用座金３０の寸法調整が出来るものが提案されている。
さらに図９に示した溶接用座金４０は、方形鋼板１の中央に長穴９があけられており、長穴９の部分で方形鋼板１を断面Ｓ字状に折り曲げてあるものも提案されている。この溶接用座金４０は、図１１に示すように下地鋼材２を基礎コンクリート５に仮置きした後、アンカー６に溶接用座金４０をかぶせて、下地鋼材２とアンカー６を溶接して固定するものである（例えば、特許文献１参照。）。
床にコンクリート系パネルを設置する場合には、図７、図８、図９に示した溶接用座金２０，３０，４０は、基礎コンクリート５部に用いられる取付け方法を準用して使用する。
【非特許文献１】クリオン株式会社  テクニカルハンドブック  2006年５月発行  P.104及びP.337
【特許文献１】特開平９−２７９６０３号公報
【発明の開示】
【発明が解決しようとする課題】
【０００４】
アンカー設置作業は、コンクリート系パネル工事の範囲に入らず、アンカー筋の場合はコンクリート打設作業時に予めコンクリート打設作業者により行われ、後打ちアンカーの場合はコンクリート打設作業後に作業者により設置作業が行われ、そのアンカー設置精度は、コンクリート系パネルを取付ける作業に必要な精度が保たれていない問題があった。
【０００５】
しかし、図７に示した溶接用座金２０は、アンカーと下地鋼材との位置調整は４辺のいずれかを使用して段階的にしか出来ないので、微細な調整がしにくいとの問題があった。アンカーと下地鋼材の間隔調整範囲が限られているため、溶接用座金の使用が不可能となる問題点があった。
また、図８に示した溶接用座金３０は、長穴が明けられているが長穴の全周に縁があるため、方形鋼板の向きによっては調整出来る範囲が狭いという問題点があった。
さらに、図９に示される溶接用座金４０は、下地鋼材の上にかぶさる形状のため、下地鋼材の上に溶接用座金が突出してしまうので、地震時の建物の揺れに際してコンクリート系パネルが振動した場合に、溶接用座金と干渉し合ってコンクリート系パネルの免震機構を阻害すると共に、コンクリート系パネルの取付け金具等と干渉し、施工するうえで障害となる問題があった。また、干渉する部分を溶接用座金の形状に合わせてはつるなど、施工性に問題があった。
コンクリート系パネルを床面に取付ける際に、図７、図８、図９等に示される溶接用座金を使用する場合にも、同様にアンカーと下地鋼材の間隔の調整範囲が限られているため、溶接用座金の使用が不可能となる問題があった。
【０００６】
そこでこの発明は、アンカーと下地鋼材との位置調整を簡単にできるようにすると共に、調整範囲を拡大することを目的としたものである。
この発明は図９に示した溶接用座金のように、下地鋼材の上に座金が突出しないため、下地鋼材の上に設置されるコンクリート系パネルとの干渉を生じさせないようにすることを目的としている。
【課題を解決するための手段】
【０００７】
本発明は、コンクリート系パネルを建物の基礎部又は床面に取付けて壁を形成する場合に、下地取付け金具に設けられた長穴状の切り欠きにより、調整範囲を大きく取ることが出来るようにしたものである。
すなわち、本発明の下地取付け金具は、方形鋼板の一片に長穴状の切り欠きを有する下地取付け金具とした。
本発明の下地取付け金具では、前記方形鋼板として長方形のものを使用することができる。その場合には、前記長穴状の切り欠きを長方形の長辺に沿って設けたものとすることが好ましい。
【０００８】
また、本発明のコンクリート系パネルの取付け構造は、建物の基礎部にコンクリート系パネルを取付ける際に、基礎コンクリートに設置されたアンカー頭部に前記本発明の下地取付け金具の長穴状の切り欠きを挿入して、位置を調整した後、溶接又はナットで締め付けて固定し、該下地取付け金具を前記コンクリート系パネル下端部に設ける下地鋼材に密着させて溶接固定し、さらに下地鋼材にコンクリート系パネル取付け用ボルト及びコンクリート系パネル取付け用アンカーを介してコンクリート系パネルを取付けて、コンクリート系パネルを建物の基礎部に取付けたコンクリート系パネルの取付け構造とした。
本発明のコンクリート系パネルの取付構造においては、前記下地取付け金具を下地鋼材に固定する際に、下地鋼材と同じ厚さの下地取付け金具を使用することが好ましい。
【発明の効果】
【０００９】
本発明の下地取付け金具は、長方形又は正方形の鋼板に設けられた長穴状の切り欠きにより、アンカーと下地鋼材との間隔の調整が容易に出来るため、コンクリート系パネルの下地鋼材取付け作業の施工性を向上させることが出来る。また、下地取付け金具の厚さを下地鋼材の厚さと同等以下にしておけば、下地鋼材の上部に下地取付け金具が突出しないため、コンクリート系パネルとの干渉を生じないので、地震時の揺れによるコンクリート系パネルの破損を防止するとともに、施工に際してコンクリート系パネルの取付金具との干渉を考慮しなくて良いので、コンクリート系パネルの施工性を向上させることが出来る。
【発明を実施するための最良の形態】
【００１０】
本発明の下地取付け金具の一実施形態を図面によって説明する。図１は本発明の下地取付け金具の一実施形態を示す外観斜視図である。
本発明の下地取付け金具１０は、方形鋼板１の一辺に長穴状の切り欠き１２を有するものである。この長穴状の切り欠き１２は、基礎部又は床の下地鋼材にコンクリート系パネルを設置する際に、基礎コンクリート又は床に設置されたアンカー頭部をこの長穴状の切り欠き１２に挿入するが、その際にアンカーの施工精度に左右されずに位置を調整することが出来る作用効果を発揮する。
方形鋼板１は、正方形であっても長方形であってもいずれでも良い。長方形の鋼板を使用する場合には、長辺に沿って長穴状の切り欠き１２を設け、短辺に切り欠きの開口を設けるのがよい。
方形鋼板１の厚さは、使用する下地鋼材の底辺の厚さと同じにするのが好ましい。このようにしておけば、取り付ける際に下地取付け金具が突出せず、下地鋼材の上部に設置されるコンクリート系パネルと下地取付け金具が干渉しないので、安定して固定することが可能となる。
方形鋼板１の大きさ及び長穴状の切り欠き１２の大きさは、使用するアンカーの太さを考慮して、ナットで固定するのに十分な面積を確保できる大きさに設定すればよい。
【００１１】
本発明にかかわる下地取付け金具を使用したコンクリート系パネルの取付け構造を図２で説明する。図２は基礎部に本発明にかかわる下地取付け金具を使用したコンクリート系パネルの取付け構造の一例を示す外観斜視図である。
このコンクリート系パネルの取付け構造においては、基礎コンクリート５に設置されたアンカー６に下地取付け金具１０の長穴状切り欠き１２を挿入し、下地鋼材２と下地取付け金具１０の間隔を調整後、下地取付け金具１０を下地鋼材２に溶接固定する。
下地鋼材２にはコンクリート系パネル固定金具３を固定し、コンクリート系パネル固定金具３に立てたコンクリート系パネル用アンカー８をコンクリート系パネル４の固定用孔に差し込んで、コンクリート系パネルを固定する。
【００１２】
同様に図３は、本発明の下地取付け金具を使用したコンクリート系パネルの取付け構造の他の例を示す斜視図である。
このコンクリート系パネルの取付構造では、下地鋼材２としてアングル鋼材を使用し、アンカー６に本発明の下地取付け金具１０の長穴状の切り欠き１２を挿入して位置を調整した後、アングル鋼材の底辺２ａに本発明の下地取付け金具１０を溶接固定し、アングル鋼材の垂直辺２ｂにコンクリート系パネル固定金具３を溶接固定する。コンクリート系パネル固定金具３にはコンクリート系パネル取付け用ボルト７が水平に固定されており、このコンクリート系パネル取付け用ボルト７をコンクリート系パネル４内に埋設したコンクリート系パネル取付け用アンカー８に挿入することによりコンクリート系パネル４を建物の基礎コンクリート５に固定する。
【００１３】
図４は、床部に使用する際の本発明の下地取付け金具を使用したコンクリート系パネルの取付け構造の一例を説明する斜視図である。
このコンクリート系パネルの取付け構造では、建物のコンクリート床１４に複数の対になったアンカー６，６′が埋設されており、コンクリート床１４上にこれらアンカー６，６′に挟まれるようにして下地鋼材２が置かれている。各アンカー６，６′に本発明の下地取付け金具１０の長穴状切り欠き１２を挿入し、下地鋼材２と下地取付け金具１０の間隔を調整した後、下地取付け金具１０を下地鋼材２に溶接して固定する。下地鋼材２を介してコンクリート系パネルを取付ける方法は、前述のいずれの方法を用いても良いので、ここでは詳しい説明は省略する。
【００１４】
同様に、図５も床部に使用する際の本発明の下地取付け金具を使用したコンクリート系パネルの取付け構造の他の例を説明する斜視図である。
このコンクリート系パネルの取付け構造の例では、建物のコンクリート床１４に複数のアンカー６・・・・，６′・・・・が千鳥状に埋設されており、これら千鳥になったアンカー６・・・・，６′・・・・の間に下地鋼材２が置かれている。アンカー６，６′に本発明の下地取付け金具１０の長穴状の切り欠き１２を挿入して下地鋼材２と下地取付け金具１０の間隔を調整後、下地取付け金具１０を下地鋼材２に溶接にて固定する。この場合も下地鋼材２を介してコンクリート系パネルを取付ける方法は、前述のいずれの方法を用いても良いので、ここでは詳しい説明は省略する。
【００１５】
本発明で使用する下地取付け金具は方形鋼板に設けられた長穴状の切り欠きを有するので、アンカーと下地取付け金具との間隔の調整を容易にすることができる。
図６に本発明のコンクリート系パネルの取付構造におけるアンカー６と下地取付け金具１０の長穴状切り欠き１２との位置関係を例示する。図中１３は下地取付け金具１０の長穴状切り欠き１２の長手方向の中心線である。
図において、（ａ）はアンカー６が下地鋼材２と適度の距離を保って配置されている場合で、アンカー６は下地取付け金具１０の長穴状切り欠き１２のほぼ中央にくる。
（ｂ）はアンカー６が下地鋼材２に接している場合で、アンカー６は下地取付け金具１０の長穴状切り欠き１２の先端にくる。
（ｃ）はアンカー６が下地鋼材２から離れた場合を示す。アンカー６は下地取付け金具１０の長穴状切り欠き１２の最奥部にくる。なお、アンカー６が長穴状切り欠き１２長さ以上に下地鋼材２から離れた場合には、下地取付け金具は使用できなくなるので、アンカー６と下地鋼材２との位置関係には一定の限度があるのは当然である。
【図面の簡単な説明】
【００１６】
【図１】本発明の下地取付け金物の斜視図である。
【図２】本発明のコンクリート系パネルの取付構造の一例を説明する斜視図である。
【図３】本発明のコンクリート系パネルの取付構造の他の例を説明する斜視図である
【図４】床部にコンクリート系パネルを取付ける本発明のコンクリート系パネルの取付構造の一例を説明する斜視図である。
【図５】床部にコンクリート系パネルを取付ける本発明のコンクリート系パネルの取付構造の他の例を説明する斜視図である。
【図６】下地取付け金物とアンカーの位置関係を説明する図であって、（ａ）は、アンカーが長穴状切り欠きのほぼ中央に位置する場合、（ｂ）はアンカーが下地鋼材に接して位置する場合、（ｃ）はアンカーが下地鋼材から離れて位置する場合を示す。
【図７】従来の溶接用金具の一例を説明する図である。
【図８】従来の溶接用金具の他の例を示す平面図である。
【図９】従来の溶接用金具の別の例を示す外観斜視図である。
【図１０】従来の溶接用金具を用いたコンクリート系パネルの取付構造の一例を説明する斜視図である。
【図１１】従来の溶接用金具を用いたコンクリート系パネルの取付構造の他の例を説明する斜視図である。
【符号の説明】
【００１７】
１  方形鋼板
２  下地鋼材
３  コンクリート系パネル取付け金具
４  コンクリート系パネル
５  基礎コンクリート
６，６′  アンカー
７  コンクリート系パネル取付け用ボルト
８  コンクリート系パネル取付け用アンカー
９  長穴
１０  下地取付け金具
１１  丸穴
１２  長穴状の切り欠き
１３  アンカー芯
１４  コンクリート床
２０，３０，４０  溶接用座金
【図１】
2008214871.tif 000003
【図２】
2008214871.tif 000004
【図３】
2008214871.tif 000005
【図４】
2008214871.tif 000006
【図５】
2008214871.tif 000007
【図６】
2008214871.tif 000008
【図７】
2008214871.tif 000009
【図８】
2008214871.tif 000010
【図９】
2008214871.tif 000011
【図１０】
2008214871.tif 000012
【図１１】
2008214871.tif 000013